(57)【要約】【課題】内部に溜まった空気や海水の排出がスムーズになされるとともに、生産性に優れ、従来よりも低コストにて製造が可能なタコ箱を提供することである。また、十分な強度を有し、使用中に破損が起き難いタコ箱を提供することである。【解決手段】一面が開放されてなるとともに、この開放面を取り囲む環状のフランジ３が設けられた上側半体Ａと、一面が開放されてなるとともに、この開放面を取り囲む環状のフランジ４が設けられた下側半体Ｂと、を具備し、上側半体Ａと下側半体Ｂとを、両者のフランジ３，４同士を突き合わせた状態で連結することによって構成されたタコ箱であって、内部にはタコを収容するためのタコ収容空間１が形成され、かつ、側面にはタコをこのタコ収容空間１内に侵入させるための開口２が形成されてなるとともに、上側半体Ａにおけるフランジ３の突合せ面３ａと下側半体Ｂにおけるフランジ４の突合せ面４ａとの間には、タコ収容空間１と外部とをつなぐスリット１１が形成できるよう構成されてなるタコ箱。【選択図】    図１
2005027528.tif 000002
【特許請求の範囲】
【請求項１】
一面が開放されてなるとともに、この開放面を取り囲む環状のフランジが設けられた上側半体と、
一面が開放されてなるとともに、この開放面を取り囲む環状のフランジが設けられた下側半体と
を具備し、
前記上側半体と前記下側半体とを、両者のフランジ同士を突き合わせた状態で連結することによって構成されたタコ箱であって、
内部にはタコを収容するためのタコ収容空間が形成され、かつ、側面にはタコを前記タコ収容空間内に侵入させるための開口が形成されてなるとともに、
前記上側半体におけるフランジの突合せ面と前記下側半体におけるフランジの突合せ面との間には、前記タコ収容空間と外部とをつなぐスリットが形成できるよう構成されてなることを特徴とするタコ箱。
【請求項２】
一面が開放されてなるとともに、この開放面を取り囲む環状のフランジが設けられた上側半体と、
一面が開放されてなるとともに、この開放面を取り囲む環状のフランジが設けられた下側半体と
を具備し、
前記上側半体と前記下側半体とを、両者のフランジ同士を突き合わせた状態で連結することによって構成されたタコ箱であって、
内部にはタコを収容するためのタコ収容空間が形成され、かつ、側面にはタコを前記タコ収容空間内に侵入させるための開口が形成されてなるとともに、
前記上側半体におけるフランジの突合せ面と前記下側半体におけるフランジの突合せ面との間には、前記タコ収容空間と外部とをつなぐスリットが形成されてなることを特徴とするタコ箱。
【請求項３】
上側半体および下側半体には、共同で錘を保持する役割を果たす凹部がそれぞれ形成されてなるとともに、この凹部を用いて錘が配設されてなることを特徴とする請求項１または請求項２に記載のタコ箱。
【請求項４】
タコをタコ収容空間内に侵入させるための開口が存在する側の端部に、紐孔が形成されてなることを特徴とする請求項１〜請求項３のいずれかに記載のタコ箱。
【発明の詳細な説明】
【０００１】
【発明が属する技術分野】
本発明は、主として天然のタコの捕獲に用いられる漁具、すなわちタコ箱に関するものである。
【０００２】
【発明が解決しようとする課題】
古来、タコの捕獲には、タコ壷と呼ばれる素焼きの壷が用いられてきた。タコ壷は、数十個程度が枝紐を介して１本の長い幹紐に取り付けられ、海底に沈められる。その後、タコが壷の中に入ってくるのを待って、幹紐を船上から手繰り寄せることで、タコ壷は一つずつ海中から引き上げられる。この際、壷の中に入っているタコは、そこから逃げ出そうとしないため、船上で壷から放り出されて収獲となる。
【０００３】
だが最近では、こうしたタコ漁に、素焼きの壷に代わって、タコ箱と呼ばれるプラスチック製の捕獲具が使われるようになってきている。これは、素焼きの壷が必要以上に重く、扱い難いためである。タコ箱は、比重が海水のそれよりも若干大きくなるよう成分調製された材料から構成される。したがって、素焼きのタコ壷に比べて格段に軽量であり、作業性の向上に寄与する。つまりタコ漁では、一度にたくさんの壷を使用するため、従来は多大な労力が必要であったが、素焼きの壷をプラスチック製のタコ箱に置き換えることで、労力を大幅に軽減することが可能となった。
【０００４】
しかしながら、こうした有用なタコ箱にも次のような問題点がある。従来型のタコ箱は一体成形によって製造されており、その一端面には、タコを内部空間に侵入させるための開口が形成され、また側面には、多数の貫通孔が形成されている。この貫通孔は、タコ箱を漁場に設置する際には、それが迅速に海底まで沈むよう、内部の空気を効率よく排出させるための空気抜き孔として機能する。これに対して、タコ箱を海中から引き上げる際には、それを素早く船上に取り込めるよう、内部の海水をスムーズに排出させるための水抜き孔となる。
【０００５】
ところで、上記貫通孔は通常、タコ箱の原形体が完成した後、形成されることになるが、こうした作業にはかなりの手間を必要とする。それゆえ、生産効率の低下は避けられず、これが製造コストを増大させる要因となっている。また、従来型のタコ箱は、側面に多数の貫通孔が存在するため強度を持たせるのが難しく、比較的容易に破損してしまうことが多かった。
【０００６】
したがって、本発明が解決しようとする課題は、内部に溜まった空気や海水の排出がスムーズになされるとともに、生産性に優れ、従来よりも低コストにて製造が可能なタコ箱を提供することである。また、十分な強度を有し、使用中に破損が起き難いタコ箱を提供することである。
【０００７】
【課題を解決するための手段】
この課題は、一面が開放されてなるとともに、この開放面を取り囲む環状のフランジが設けられた上側半体と、一面が開放されてなるとともに、この開放面を取り囲む環状のフランジが設けられた下側半体と、を具備し、この上側半体と下側半体とを、両者のフランジ同士を突き合わせた状態で連結することによって構成されたタコ箱であって、内部にはタコを収容するためのタコ収容空間が形成され、かつ、側面にはタコをこのタコ収容空間内に侵入させるための開口が形成されてなるとともに、上記上側半体におけるフランジの突合せ面と上記下側半体におけるフランジの突合せ面との間には、上記タコ収容空間と外部とをつなぐスリットが形成できるよう構成されてなることを特徴とするタコ箱によって解決される。
【０００８】
特に上記の課題は、一面が開放されてなるとともに、この開放面を取り囲む環状のフランジが設けられた上側半体と、一面が開放されてなるとともに、この開放面を取り囲む環状のフランジが設けられた下側半体と、を具備し、この上側半体と下側半体とを、両者のフランジ同士を突き合わせた状態で連結することによって構成されたタコ箱であって、内部にはタコを収容するためのタコ収容空間が形成され、かつ、側面にはタコをこのタコ収容空間内に侵入させるための開口が形成されてなるとともに、上記上側半体におけるフランジの突合せ面と上記下側半体におけるフランジの突合せ面との間には、上記タコ収容空間と外部とをつなぐスリットが形成されてなることを特徴とするタコ箱によって解決される。
【０００９】
すなわち、上記のごとくタコ箱を構成した場合、ことにタコ収容空間と外部とをつなぐスリットが形成されていると、それが空気の入出孔（空気抜き孔）あるいは海水の入出孔（水抜き孔）として機能するので、箱の側面に貫通孔を形成する必要はない。したがってタコ箱を製造する際には、手間の掛かる貫通孔形成作業を省略することができ、生産効率が大きく向上する。つまり、本発明に係るタコ箱は、生産性に優れ、従来よりも低コストにて製造が可能となっている。
【００１０】
さらに本発明に係るタコ箱は、スリットが空気抜き孔として機能する状況（タコ箱を漁場に設置する際）では、それがタコ収容空間内の空気を効率よく外部に排出させるので迅速に海底まで沈んでいく。一方、スリットが水抜き孔として機能する状況（タコ箱を海中から引き上げる際）では、それがタコ収容空間内の海水をスムーズに外部に排出させるので、タコ箱を素早く船上に取り込むことが可能である。つまり、本発明に係るタコ箱は、先に挙げたような優れた効果を奏しながらも、内部に溜まった空気や海水の排出がスムーズになされるので、その設置や回収は極めて容易である。
【００１１】
加えて、本発明に係るタコ箱は、側面に貫通孔すなわち断面欠損を設けなくともよいので、それに起因した強度の低下はない。言い換えれば、側面部分にも十分な強度を持たせることができるので、タコ漁中、比較的容易に破損してしまうといった問題の発生頻度が低減する。総じて言うと、本発明に係るタコ箱は、内部に溜まった空気や海水の排出がスムーズになされるとともに、従来よりも低コストにて製造が可能である。そのうえ十分な強度を有し、また成形形状として箱の角を切り欠いたり、丸みをつけたりすることができるので、たとえば海底の岩間に挟まって使用中に破損してしまうといったトラブルが起き難い。
【００１２】
なお、本発明に係るタコ箱にあっては、その上側半体および下側半体（特にその内面側）には、共同で錘を保持する役割を果たす凹部がそれぞれ形成されてなるとともに、この凹部を用いて錘が配設されてなることが好ましい。すなわちタコ箱は、比重が海水のそれよりも若干大きくなるよう、無機充填材を混合するなどして成分調製されたプラスチック材料から構成され、したがってそのまま海中に投入しても自然と海底まで沈降していく。しかしながら、こうした構造を採用することで、タコ箱をさらに迅速に海底まで到達させることが可能となる。またこれと併せて、着底後、海流によって運ばれ難くなるといった効果も奏される。
【００１３】
ところで、素焼きのタコ壷や従来型のタコ箱を使用する場合でも、それを迅速に海底まで沈めるため、錘に相当するものを使用することはあった。すなわち、タコ壷やタコ箱の中に適度な大きさの天然の石や砂を適当に投入して、それを錘とする手法などは以前から採用されていた。だが、投入した石や砂は、タコ壷やタコ箱の開口部から容易に外に飛び出してしまうため錘としての効果をさほど期待できず、そのうえ頻繁に補充してやる必要さえあった。
【００１４】
これに対して、上記のごとく構成した場合には、錘がタコ箱から脱落することはなく、したがって錘を補充する必要もない。タコ箱は、それから脱落しないよう堅固に取り付けられた錘の作用で、海中へ投入するたび、速やかに海底まで沈降していく。
【００１５】
また、本発明に係るタコ箱にあっては、タコをタコ収容空間内に侵入させるための開口が存在する側の端部にも、紐孔が形成されてなることが好ましい。通常、タコ箱吊り下げ用の紐を結び付けるための紐孔は、タコをタコ収容空間内に侵入させるための開口が存在する側ではなく、それとは反対の閉塞された端部側に形成される。そして、１本の幹紐から分岐する多数の枝紐の先端が、この紐孔を用いてタコ箱それぞれに連結される。つまり一般的には、タコ箱は並列状態で幹紐に取り付けられ、海底に沈められることになる。
【００１６】
しかしながら実際には、さまざまな事情により、タコ箱同士を一列に連結して、すなわち多数のタコ箱を一定間隔で直列につないだ状態で使用した方が好ましい場合もある。ここで、タコ箱が上記のごとく構成されていると、つまり、タコをタコ収容空間内に侵入させるための開口が存在する側の端部にも紐孔が形成されていると、簡単にこうした使用形態に対応することが可能となる。
【００１７】
【発明の実施の形態】
以下、図１〜図１０を用い、本発明の一実施形態について具体的に説明する。ここで、図１は本実施形態に係るタコ箱（以下、本タコ箱とも言う）の外観図、図２〜図４はそれぞれ本タコ箱の平面図、側面図および正面図、図５は本タコ箱を構成する上側半体および下側半体を分離させた状態を示す斜視図、図６は図２におけるＸ−Ｘ線での本タコ箱の断面図、図７は図２におけるＹ−Ｙ線での本タコ箱の断面図、図８は図２におけるＺ−Ｚ線での本タコ箱の断面図、図９は本タコ箱同士を上下に重ね合わせた状態での両者の係合部分の断面図、図１０はスリット部分の他の様態を示す本タコ箱の要部断面図である。
【００１８】
本タコ箱は、従来型の漁具であるタコ壷と同様、海洋でのタコ漁に用いられるもので、数十個程度がそれぞれ枝紐を介して１本の長い幹紐に取り付けられ、漁場の海底に沈められることになる。
【００１９】
本タコ箱は、図１〜図４からわかるように、角に丸みを付与した略直方体状の中空構造物である。言い換えれば、本タコ箱の内部には、タコを収容するための空間すなわちタコ収容空間１が形成されており、また、本タコ箱の一側面には、タコをこのタコ収容空間１内に侵入させるための開口２が形成されている。
【００２０】
なお、本発明に係るタコ箱の形状としては、略直方体型以外にも壷型や樽型など、さまざまなものが考えられ、したがって、ここに一実施形態として示した形状には特に限定されない。また、タコをタコ収容空間１内に導き入れる開口についても、もし必要とあれば、さらに増設してもよい。これに加えて、本実施形態ではタコ箱の表面を平滑なものとしたが、場合によっては、表面に木目状の凹凸などを形成し、あたかも木材などの自然素材から構成されているかのような外観を付与することもできる。
【００２１】
本タコ箱は、図５に示すごとく概して二つの部分、すなわち上側半体Ａおよび下側半体Ｂから構成されている。両者は、おおむね同一の寸法・形状を有しており、しかもそれぞれが、材料としてプラスチックを用いた一体成形品（たとえば射出成形品）である。ここでは、上側半体Ａおよび下側半体Ｂの材料として、比重が１．２程度になるよう、合成樹脂とタルクや炭酸カルシウムなどの無機充填材とを混合して成分調製されたプラスチック材料を使用した。ただし材料は、比重が海水の比重（１．０１〜１．０５）よりもある程度大きなものであればよく、比重も上の値には限定されない。
【００２２】
本タコ箱を構成する上側半体Ａは、一面が開放された升状のものであり、図２などからもわかるように、この開放面を取り囲む環状のフランジ３が設けられている。ただし、上記開口２の付近については、図３や図４に示すごとく、フランジ３はこの開口２の縁に沿って略Ｃ字形に湾曲している。こうした点は、下側半体Ｂについても同じである。すなわち下側半体Ｂも、一面が開放された升状のものであり、この開放面を取り囲む環状のフランジ４が設けられている。そしてさらに、このフランジ４も開口２の付近については、この開口２の縁に沿って略Ｃ字形に湾曲している。
【００２３】
言い換えれば、フランジ３およびフランジ４の略Ｃ字形に湾曲した部分同士が突き合わされて、上側半体Ａおよび下側半体Ｂの一側面における略半円形の切欠き５，６とともに、本タコ箱の開口２を構成している。なお本実施形態では、上側半体Ａおよび下側半体Ｂの底面（開放面に対向する面）に、その部分の強度を向上させるため長円形の環状凹部７，８を形成している。
【００２４】
上側半体Ａと下側半体Ｂとは、図５からわかるように、ボルト９およびナット１０を用いて連結されている。すなわち、上側半体Ａおよび下側半体Ｂは、両者のフランジ同士を突き合わせた状態で上下に重ね合わされ、たとえば図６に示すごとく、フランジ部分に配されるボルト９およびナット１０によって強固に結合される。したがって本タコ箱は、主要構成要素である上側半体Ａと下側半体Ｂとを連結することにより、内部にタコを収容（捕収）するためのタコ収容空間１を形成し、かつ、側面にタコをこのタコ収容空間１内に侵入させるための開口２を形成したものであると言える。
【００２５】
なお、言うまでもないが、上記フランジ３，４においてボルト９およびナット１０を配する場所には、それらを位置させるための孔や凹部が形成されている。本実施形態では、特に図２からわかるように、フランジ３，４上の計９箇所をボルト・ナット対によって締結することで、十分な連結強度を持たせた。
【００２６】
本タコ箱には、たとえば図７に示すごとく、タコ収容空間１と箱の外部とをつなぐスリット１１が形成されている。すなわち本実施形態では、上述したように上側半体Ａと下側半体Ｂとを連結した状態で、上側半体Ａにおけるフランジ３の突合せ面３ａと、下側半体Ｂにおけるフランジ４の突合せ面４ａとの間に、幅（図７中、ｄで示す）が１〜数ｍｍ程度、特に２ｍｍ程度の空隙が必然的に形成されるようにしている。本タコ箱では、この空隙が上記スリット１１となっている。
【００２７】
ここでは、図６に示すごとく、ボルト・ナット対によって締結される部分における互いに当接する端面を、フランジ３，４の突合せ面３ａ，４ａよりもわずかに突出させることで、上記の特徴的な様態を実現している。すなわち、上側半体Ａおよび下側半体Ｂを図１に示すごとく連結しても、フランジ３の突合せ面３ａとフランジ４の突合せ面４ａとが必ず離間した状態となるよう構成することで、上記スリット１１を付与している。
【００２８】
なお、フランジ３，４の突合せ面３ａ，４ａに設けた上記突出部と同等の効果を、パッキンを用いて得ることもできる。すなわち、ボルト・ナット対により締結される部分において、フランジ３の突合せ面３ａとフランジ４の突合せ面４ａとの間にパッキンを挟み込むことでも、突合せ面３ａ，４ａ同士の間にスリットを形成できる。このような構造を採用した場合には、パッキンを取り外すことでスリットを持たないタコ箱となる。
【００２９】
本実施形態では、タコ収容空間１と箱の外部とをつなぐスリット１１を、ボルト・ナット対によって締結される部分や後述する錘を収容する部分、そして開口２の付近を除き、フランジ３，４のほぼ全域に設けた。しかしながら、スリット１１が設けられる領域は、本実施形態のそれに限定されるわけではなく、スリット１１は必要に応じて任意の位置に形成することができる。
【００３０】
本タコ箱は、図８に示すごとく、海底への到達を速やかなものとするため、そして着底後に海流によって運ばれるのを抑止するため、計２個の鉄製の錘１２を具備する。上側半体Ａおよび下側半体Ｂには、共同でこの錘１２を保持する役割を果たす凹部（錘収容凹部）１３，１４がそれぞれ形成されている。ここでは、錘１２として矩形平板状のものを用いたので、凹部１３，１４についても、これに対応した形状となっている。
【００３１】
さらに詳しく言うと、本実施形態では、フランジ３，４の一部を、いわば開放面と反対の側に突出させることで、上記凹部１３，１４を形成している。また、上側半体Ａおよび下側半体Ｂにはそれぞれ、凹部１３，１４と対になる、錘止め片１５，１６が形成されている。錘１２は、凹部１３，１４に加え、さらにこの錘止め片１５，１６を用いて、上側半体Ａおよび下側半体Ｂにそれぞれ配設されている。
【００３２】
言い換えれば、錘１２は、凹部１３，１４の内側に設けられた錘止め片１５，１６と、凹部１３，１４を構成する突出壁部分とで挟持された状態で、それぞれ上側半体Ａおよび下側半体Ｂに固定されている。つまり、錘１２は上下から上側半体Ａと下側半体Ｂとによって挟持された状態となっており、タコ箱を海中に投入した際や引き上げの途中で、それから脱落することはない。図示していない側についても、やはり同じようにして錘１２はタコ箱に配設されている。
【００３３】
ちなみに、錘１２に、上記スリット１１の幅を適切な値に保つスペーサとしての役割を負わせることもできる。なお、錘の取り付け方法については、本実施形態のそれに限定されるものではない。たとえば、タコ箱の外面に錘保持部を構成し、これを利用して錘を取り付けたり、あるいはビスを用いるなどして、ビス孔が形成された錘をタコ箱側面やフランジに直接取り付けてもよい。
【００３４】
本タコ箱は、図２などからわかるように、タコ箱吊り下げ用の紐（図示せず）を連結するための紐孔１７ａ〜１７ｆを有する。すなわち、タコをタコ収容空間１内に侵入させるための開口２の逆端側だけでなく、この開口２が存在する側の端部にも、紐孔１７ｃ〜１７ｆを形成している。本タコ箱をタコ漁に使用する場合、通常、１本の幹紐から分岐する多数の枝紐の先端が、紐孔１７ａ，１７ｂを用いて本タコ箱に連結される。つまり、タコ箱同士は並列状態で幹紐に取り付けられ、海底に沈められることになる。
【００３５】
これに対して、本タコ箱同士を一列に連結して、すなわち多数のタコ箱を一定間隔で直列につないだ状態で使用する場合には、紐孔１７ａ，１７ｂと紐孔１７ｄ，１２ｅとが同時に、あるいは紐孔１７ａ，１７ｂと紐孔１７ｃ，１７ｆとが同時に使用される。つまり、前後に隣り合う二つのタコ箱の間には、紐孔１７ａ，１７ｂおよび紐孔１７ｄ，１７ｅ、あるいは紐孔１７ａ，１７ｂおよび紐孔１７ｃ，１７ｆを用いて継ぎ紐（図示せず）が配され、これによって所定個数のタコ箱が一列に連結された状態となる。
【００３６】
ところで、保管時や運搬時には、タコ箱同士が上下に重ね合わされる。本実施形態では、こうした状態での安定性を高めるため、タコ箱の上下両面に凹凸を付与している。すなわち、タコ箱の上面には２個の凸部１８と、同じく２個の凹部（実際には環状の凸部）１９を形成している。下面側については、凸部１８と凹部１９の位置が上面側とは逆になる。
【００３７】
凸部１８あるいは凹部１９はそれぞれ共通の対角線上に存在し、タコ箱同士を重ね合わせた際には、図９に示すごとく、上側のタコ箱の凸部１８（あるいは凹部１９）が、下側のタコ箱の凹部１９（あるいは凸部１８）内に収まった状態、つまり係合状態となる。そしてこの結果、タコ箱同士の安定した重積状態が実現する。本実施形態では、凸部１８および凹部１９それぞれの中心に、貫通孔１８ａ，１９ａを形成しており、これら貫通孔１８ａ，１９ａも上記スリット１１とともに、空気抜き孔あるいは水抜き孔として機能する。なお、これら凸部１８および凹部１９を、互いに噛み合う無数の小突起群によって代替させることもできる。
【００３８】
さて、上記のごとくタコ箱を構成した場合、タコ収容空間１と箱の外部とをつなぐスリット１１が、空気抜き孔（空気の入出孔）あるいは水抜き孔（海水の入出孔）として機能するので、箱の側面に貫通孔を別途形成する必要はない。このため、タコ箱を製造する際には、手間の掛かる貫通孔形成作業を省略することができ、生産効率が大きく向上する。つまり、本タコ箱は生産性に優れ、従来品よりも低コストにて製造が可能である。
【００３９】
しかも、こうした格別な効果を奏するにもかかわらず、本タコ箱は、内部に溜まった空気や海水の排出がスムーズになされるので、海底への設置や回収が極めて容易である。すなわち、スリット１１が空気抜き孔として機能する状況（本タコ箱を漁場に設置する際）では、それがタコ収容空間１内の空気を効率よく排出させるので、本タコ箱は迅速に海底まで沈んでいく。一方、スリット１１が水抜き孔として機能する状況（本タコ箱を海中から引き上げる際）では、それがタコ収容空間１内の海水をスムーズに排出させるので、本タコ箱を素早く船上に取り込むことが可能である。
【００４０】
加えて、本タコ箱は、側面に貫通孔すなわち断面欠損が多数存在しないので、それに起因した強度の低下は少ない。換言すれば、側面部分にも十分な強度を持たせることができる。また、それとともに角を切り欠いた形状や、角に丸みを持たせた形状となるようタコ箱を成形することもできる。したがってタコ漁中に、タコ箱が、海底の岩に衝突したり岩間に引っ掛かったりして、比較的容易に破損してしまうといった問題が起き難い。
【００４１】
なお、本発明に係るタコ箱に、従来のタコ箱に形成されていたものと同様の紐孔や手棒孔（タコをタコ箱から強制的に押し出すのに使用される棒を箱内に挿入するための孔）などを形成しておけば、使用法をさらに拡張することができるので好ましい。
【００４２】
上記実施形態では、スリットを平面状のものとしたが、言うまでもなく本発明は、こうした様態に限定されるわけではない。たとえば、図１０に示すごとく、一方のフランジ２１の突合せ面には凹部（あるいは凸部）２１ａを、また、他方のフランジ２２の突合せ面には凸部（あるいは凹部）２２ａを形成することができる。つまり、フランジ２１の突合せ面とフランジ２２の突合せ面との間に形成されるスリット２３を、途中が屈曲したものとしてもよい。このように構成した場合、箱の内部にスリット２３から光が射し込まないようにすることができ、水深の浅い海域で漁をする際に、より理想的な箱内環境を実現できる。
【００４３】
【発明の効果】
本発明に係るタコ箱は、内部に溜まった空気や海水の排出がスムーズになされるとともに、生産性に優れ、従来よりも低コストにて製造が可能である。そのうえ、本発明に係るタコ箱は十分な強度を有しており、使用中に破損が起き難い。
【図面の簡単な説明】
【図１】本発明の実施形態に係るタコ箱の外観図
【図２】本発明の実施形態に係るタコ箱の平面図
【図３】本発明の実施形態に係るタコ箱の側面図
【図４】本発明の実施形態に係るタコ箱の正面図
【図５】本発明の実施形態に係るタコ箱を構成する上側半体および下側半体を分離させた状態を示す斜視図
【図６】図２におけるＸ−Ｘ線での本発明の実施形態に係るタコ箱の断面図
【図７】図２におけるＹ−Ｙ線での本発明の実施形態に係るタコ箱の断面図
【図８】図２におけるＺ−Ｚ線での本発明の実施形態に係るタコ箱の断面図
【図９】本発明の実施形態に係るタコ箱同士を上下に重ね合わせた状態での両者の係合部分の断面図
【図１０】スリット部分の他の様態を示す、本発明の実施形態に係るタコ箱の要部断面図
【符号の説明】
Ａ                タコ箱の上側半体
Ｂ                タコ箱の下側半体
１                タコ収容空間
２                開口
３，４            フランジ
３ａ，４ａ        フランジの突合せ面
５，６            切欠き
７，８            環状凹部
９                ボルト
１０                ナット
１１                スリット
１２                錘
１３，１４          凹部（錘収容凹部）
１５，１６          錘止め片
１７ａ〜１７ｆ      紐孔
１８                凸部
１９                凹部
１８ａ，１９ａ      貫通孔
２１，２２          フランジ
２１ａ              フランジ突合せ面の凹部
２２ａ              フランジ突合せ面の凸部
２３                スリット
【図１】
2005027528.tif 000003
【図２】
2005027528.tif 000004
【図３】
2005027528.tif 000005
【図４】
2005027528.tif 000006
【図５】
2005027528.tif 000007
【図６】
2005027528.tif 000008
【図７】
2005027528.tif 000009
【図８】
2005027528.tif 000010
【図９】
2005027528.tif 000011
【図１０】
2005027528.tif 000012